(57)【要約】【課題】捕食しにきた魚をルアー本体後方に設けられた釣針に効率良く針掛かりさせることができる釣用疑似餌を提供する。【解決手段】本発明の釣用疑似餌は、餌の形態を模した疑似餌本体２と、疑似餌本体２の後部から疑似餌本体２のほぼ長手方向に延び、疑似餌本体２の長手方向に沿う位置に釣針４を保持するための保持部材３と、保持部材３に保持される釣針４とを備える。【選択図】図１
2012010643.tif 000002
【特許請求の範囲】
【請求項１】
餌の形態を模した疑似餌本体と、
前記疑似餌本体の後部から疑似餌本体のほぼ長手方向に延び、疑似餌本体の長手方向に沿う位置に釣針を保持するための保持部材と、
前記保持部材に保持される釣針と、
を備えることを特徴とする釣用疑似餌。
【請求項２】
前記保持部材が可撓性を有することを特徴とする請求項１に記載の釣用疑似餌。
【請求項３】
前記釣針は、前記保持部材に対して長手方向に移動可能に保持されることを特徴とする請求項１または請求項２に記載の釣用疑似餌。
【請求項４】
前記保持部材は、釣針の長手方向の移動を規制するための規制部を有することを特徴とする請求項３に記載の釣用疑似餌。
【請求項５】
前記規制部は、疑似餌本体側に向かって先細る先端側傾斜面と、疑似餌本体側への釣針の移動を規制する後端側規制面とを有することを特徴とする請求項４に記載の釣用疑似餌。
【発明の詳細な説明】
【技術分野】
【０００１】
本発明は、小魚等の餌の形態を模した疑似餌本体に釣針を取り付けて成る釣用疑似餌に関する。
【背景技術】
【０００２】
従来から、ルアーフィッシングにおいては、餌の形態を模した疑似餌本体（以下、ルアー本体と称する）に釣針を取り付けて成る釣用疑似餌（以下、ルアーと称する）が用いられる。このようなルアーは、ルアー本体および釣針の形態、ルアー本体に対する釣針の取り付け位置や取り付け形態などに関して様々なものが知られているが、いずれも、水中でのリーリングにより小魚が泳ぐような動きをルアーに与えることにより対象魚を誘い、ルアー本体を捕食しようとする対象魚をルアー本体の釣針に針掛かりさせるものである。
【０００３】
ルアー本体に対する釣針の取り付け位置や取り付け形態に関し、例えば特許文献１は、ルアー本体の後端に設けられる円環にフック用糸を介して釣針（フック）を取り付けて成るルアーを開示している。また、特許文献２は、リール本体の後端にフック状の釣針を揺動自在に直接に連結して成るルアーを開示しており、集魚効果を上げるために、ルアー後端に取り付けられた釣針のシャンク部のベント部側端部にシャンク部延長線方向に回転自在部品を介してブレードを取り付けている。
【先行技術文献】
【特許文献】
【０００４】
【特許文献１】特開平１０−１１７６３９号公報
【特許文献２】特開２００８−５４５２３号公報
【発明の概要】
【発明が解決しようとする課題】
【０００５】
ところで、ルアー本体の後方から捕食しにきた魚をルアー本体後方に設けられた釣針（フック）に効率良く針掛かりさせるためには、釣針がルアー本体の長手方向にほぼ沿った位置に保持されていることが望まれる。しかしながら、特許文献１に開示されるルアーでは、フック用糸が、釣針をルアー本体の後方に保持するものではなく、単に水中で浮遊しつつ釣針をルアー本体に繋いでいるだけであるため、水流やリーリング状態によってフック用糸の位置が変動し、したがって、フック用糸に接続される釣針の位置も変動して、釣針がルアー本体の後方から大きくそれやすい。
【０００６】
一方、特許文献２においても、シャンク部延長線方向に延びるブレードの影響も手伝って、水流やリーリング状態にもよるが、殆どの状況下で、釣針が重力の作用によりリール本体の後端直下に垂下された状態になり、釣針をルアー本体の長手方向にほぼ沿った位置に保持させ続けることが難しい。また、リール本体の後端にフック状の釣針を揺動自在に直接に連結して成るため、釣針がルアー本体の腹側（下面側）に回り込んでしまう場合もある。つまり、特許文献２においても、特許文献１と同様に釣針がルアー本体の後方から大きくそれやすい。
【０００７】
本発明は、前記事情に着目してなされたものであり、その目的とするところは、捕食しにきた魚をルアー本体後方に設けられた釣針に効率良く針掛かりさせることができる釣用疑似餌を提供することにある。
【課題を解決するための手段】
【０００８】
前記課題を解決するために、請求項１に記載の釣用疑似餌は、餌の形態を模した疑似餌本体と、前記疑似餌本体の後部から疑似餌本体のほぼ長手方向に延び、疑似餌本体の長手方向に沿う位置に釣針を保持するための保持部材と、前記保持部材に保持される釣針とを備えることを特徴とする。
【０００９】
この請求項１に記載の釣用疑似餌によれば、保持部材により、釣針が疑似餌本体のほぼ長手方向に沿う位置に保持されるため、疑似餌本体の後方から捕食しにきた魚を疑似餌本体後方に設けられた釣針に効率良く確実に針掛かりさせることが可能になる（捕食効果が高い）。
【００１０】
また、請求項２に記載の釣用疑似餌は、請求項１に記載の釣用疑似餌において、前記保持部材が可撓性を有することを特徴とする。
【００１１】
この請求項２に記載の釣用疑似餌によれば、請求項１に記載の釣用疑似餌と同様の作用効果が得られるとともに、保持部材が可撓性を有しているため、釣針に掛かった魚が暴れても、保持部材がその動きに追従でき、したがって、無理な力が作用して身切れ等によって魚が釣針から外れてしまうといった事態を防止でききる。
【００１２】
また、請求項３に記載の釣用疑似餌は、請求項１または請求項２に記載の釣用疑似餌において、前記釣針は、前記保持部材に対して長手方向に移動可能に保持されることを特徴とする。
【００１３】
この請求項３に記載の釣用疑似餌によれば、請求項１または請求項２に記載の釣用疑似餌と同様の作用効果が得られるとともに、釣針が保持部材の長手方向に移動可能であるため、釣針に掛かった魚が暴れても、釣針がその動きに追従でき、したがって、無理な力が作用して身切れ等によって魚が釣針から外れてしまうといった事態を防止でききる。
【００１４】
また、請求項４に記載の釣用疑似餌は、請求項３に記載の釣用疑似餌において、前記保持部材は、釣針の長手方向の移動を規制するための規制部を有することを特徴とする。
【００１５】
この請求項４に記載の釣用疑似餌によれば、請求項３に記載の釣用疑似餌と同様の作用効果が得られるとともに、規制部の存在により、移動可能に保持された釣針が例えば疑似餌本体側に大きく移動することを規制でき、したがって、釣針が疑似餌本体に近づき過ぎること（例えば、釣針が疑似餌本体の腹側（下面側）に回り込むことを含む）による針掛かり性能の低下を未然に防止できる。また、疑似餌本体側に別の固定釣針が存在する場合には、保持部材に移動可能に保持される釣針と前記固定釣針との絡み合いを規制部によって防止できるという効果もある。更に、移動可能な釣針が（例えば、針掛かりした魚が大きく暴れるなどして）大きな負荷を受けて疑似餌本体側に激しく衝突することを規制部によって防止することもできる。すなわち、規制部は、（たとえ釣針が規制部を乗り越えて疑似餌本体側へ移動する場合であっても）釣針の移動の障害となることにより、釣針が疑似餌本体に衝突する際の衝撃を低減して、衝撃に伴う魚の（身切れなどによる）針外れを防止できる。
【００１６】
また、請求項５に記載の釣用疑似餌は、請求項４に記載の釣用疑似餌において、前記規制部は、疑似餌本体側に向かって先細る先端側傾斜面と、疑似餌本体側への釣針の移動を規制する後端側規制面とを有することを特徴とする。
【００１７】
この請求項５に記載の釣用疑似餌によれば、請求項４に記載の釣用疑似餌と同様の作用効果が得られるとともに、釣用疑似餌を水中で引くリーリング動作により、疑似餌本体側に移動した釣針を先端側傾斜面の案内によって容易に後方へ移動させることができる一方、後方に移動した釣針が疑似餌本体側へ移動しようとする動きを後端側規制面によって規制することができ、請求項４の作用効果を促進できる。
【発明の効果】
【００１８】
本発明によれば、捕食しにきた魚をルアー本体後方に設けられた釣針に効率良く針掛かりさせることができる釣用疑似餌を提供できる。
【図面の簡単な説明】
【００１９】
【図１】本発明の一実施形態に係る釣用疑似餌の斜視図である。
【図２】（ａ）は図１の釣用疑似餌の側面図、（ｂ）は釣用疑似餌の保持部材の側面図である。
【図３】（ａ）は保持部材の第１の変形例を示す斜視図、（ｂ）は保持部材の第２の変形例を示す斜視図である。
【図４】（ａ）は保持部材に設けられる規制部の一例を示す部分側面図、（ｂ）は規制部の第１の変形例を示す部分側面図、（ｃ）は規制部の第２の変形例を示す部分側面図、（ｄ）は（ａ）の規制部の斜視図、（ｅ）は（ａ）の規制部の変形を示す斜視図である。
【図５】（ａ）は保持部材に設けられる規制部の第３の変形例を示す正面図、（ｂ）は（ａ）の規制部を有する保持部材の部分側面図である。
【図６】（ａ）は保持部材に設けられる規制部の第４の変形例を示す正面図、（ｂ）は（ａ）の規制部を有する保持部材の部分側面図である。
【図７】（ａ）は保持部材に設けられる規制部の第５の変形例を示す正面図、（ｂ）は（ａ）の規制部を有する保持部材の部分側面図である。
【図８】（ａ）は図４の（ａ）の規制部を保持部材に２つ有する釣用疑似餌の側面図、（ｂ）は保持部材に規制部を設けない場合に起こり得る釣針同士の絡み合いを概略的に示す側面図である。
【発明を実施するための形態】
【００２０】
以下、添付図面を参照して、本発明に係る釣用疑似餌の実施形態について説明する。
図１および図２は本発明の一実施形態を示している。図１に示されるように、本実施形態に係る釣用疑似餌１は、餌（小魚、海老、あるいは、蝦蛄等の餌；本実施形態では小魚）の形態を模した疑似餌本体２を有する。この疑似餌本体２には、必要に応じて目や髭等が取付けられ、色柄模様が付される。
【００２１】
疑似餌本体２の前端側下部には、水流抵抗を受けることにより疑似餌１を潜行させたり或いは疑似餌１の所定の潜行姿勢を保持するための抵抗板６が設けられている。また、疑似餌本体２の腹面（下面の略中央）にはフック状の固定釣針７が取り付けられている。この場合、固定釣針７は、その先端の取り付けリング７ａが疑似餌本体２の下面に固定された係止環９に係止されることにより（図２の（ａ）参照）、疑似餌本体２に対して揺動可能に取り付けられている。なお、図示しないが、疑似餌本体２の前端には、魚釣用リールから繰り出される釣糸が連結係止される釣糸係止部が設けられる。
【００２２】
また、本実施形態の釣用疑似餌１は、疑似餌本体２の後部から疑似餌本体２のほぼ長手方向に沿って所定の長さで延びる保持部材３を有する。この保持部材３は、疑似餌本体２の長手方向に沿う所定範囲内の任意の位置にフック状の移動釣針４を移動可能に保持するためのものであり、本実施形態では、可撓性を有する棒状部材（線材）をループ状に折り曲げて疑似餌本体２に取り付けることにより構成される。具体的には、保持部材３は、外力を受けない状態でそれ自体が疑似餌本体２の長手方向に沿う直線的形態を自立的に保持し得る合成樹脂（例えば、天然ゴム、合成ゴムなどのエラストマー材料やウレタン系材料）などの可撓性材料によって形成されており、図２の（ｂ）に示されるように、固定用のネジ穴１０を有する平板状ブラケット３ａを棒状本体の両端に有する。そして、保持部材３は、保持強度を高めるべくループ状に折り曲げられた状態で、その両端の平板状ブラケット３ａのネジ穴１０を通じて疑似餌本体２にねじ込まれるネジ部材１１（図２（ａ）参照）により、疑似餌本体２に取り付け固定される。この場合、ルーブ状の保持部材３には係止リング５が移動可能に挿通されており、この係止リング５に対して移動釣針４の先端の取り付けリング４ａが係止されることにより移動釣針４が保持部材３に対してその長手方向に移動可能に保持される。
【００２３】
なお、疑似餌本体２に対する保持部材３の取り付けは、ネジ部材１０によらなくても良い。例えば、互いに隣接して疑似餌本体２に穿設された一対の取り付け孔のそれぞれに保持部材３の両端を挿入して接着することにより、保持部材３が疑似餌本体２に対してループ状に取り付けられても良い。
【００２４】
以上のように、本実施形態の釣用疑似餌１によれば、保持部材３により、移動釣針４が疑似餌本体２のほぼ長手方向に沿う位置に保持される（任意の位置に自在に移動しても疑似餌本体２の長手方向に沿う領域内に収まる）ため、疑似餌本体２の後方から捕食しにきた魚を疑似餌本体２の後方に設けられた釣針４に効率良く確実に針掛かりさせることが可能になる（捕食効果が高い）。
【００２５】
また、本実施形態の釣用疑似餌１によれば、保持部材３が可撓性を有しているため、移動釣針４に掛かった魚が暴れても、保持部材３がその動きに追従でき、したがって、無理な力が作用して身切れ等によって魚が移動釣針４から外れてしまうといった事態を防止でききる。
【００２６】
また、本実施形態の釣用疑似餌１によれば、移動釣針４が保持部材３の長手方向に移動可能であるため、移動釣針４に掛かった魚が暴れても、移動釣針４がその動きに追従でき、したがって、無理な力が作用して身切れ等によって魚が釣針から外れてしまうといった事態を防止でききる。
【００２７】
なお、本実施形態のように保持部材３がループ状を成していると、保持強度が高まることは勿論のこと、針掛かりした魚が暴れた際に移動釣針４が保持部材３に沿って動き易いため、魚が釣針４から外れにくい。
【００２８】
図３の（ａ）は保持部材の第１の変形例を示している。図示のように、本変形例に係る保持部材３Ａは、直線状の可撓性を有する棒状部材として構成されており、前述した実施形態と同様、外力を受けない状態でそれ自体が疑似餌本体２の長手方向に沿う直線的形態を自立的に保持し得る。具体的に、この保持部材３Ａは、金属製線材、好ましくはＮｉＴｉ合金等から成る形状記憶合金によって直線状に形成されており、係止リング５が移動可能に挿通されている。無論、この係止リング５には移動釣針４の先端の取り付けリング４ａが係止される。また、保持部材３Ａの延在端部には、この先端部の保護のため、および、係止リング５の抜け止めのため、例えば合成樹脂製の保護キャップ１３が設けられる。このような形態の保持部材３Ａであっても、前述した実施形態の保持部材３と同様の作用効果を得ることができる。
【００２９】
図３の（ｂ）は保持部材の第２の変形例を示している。図示のように、本変形例に係る保持部材３Ｂは、直線状のスプリング(可撓性を有する弾性部材)として構成されており、前述した実施形態と同様、外力を受けない状態でそれ自体が疑似餌本体２の長手方向に沿う直線的形態を自立的に保持し得る。具体的に、この保持部材３Ｂは、バネ用ステンレス鋼（ＳＵＳ３０４ＷＰＢ）や硬鋼線（ＳＷ−Ｃ）などによって形成されており、例えば疑似餌本体２に穿設された取り付け孔にその一端を挿入して接着することにより疑似餌本体２に対して固定される。また、保持部材３Ｂには係止リング５が移動可能に挿通されており、この係止リング５には移動釣針４の先端の取り付けリング４ａが係止される。また、保持部材３Ｂの延在端部には、第１の変形例と同じ機能を果たす保護キャップ１３が設けられる。このような形態の保持部材３Ｂであっても、前述した実施形態の保持部材３と同様の作用効果を得ることができる。
【００３０】
なお、保持部材３，３Ａ，３Ｂには、移動釣針４の長手方向の移動を規制する（移動釣針４の保持範囲を制限する）ための規制部を設けることが好ましい。図４の（ａ）はそのような規制部の一例を示している。図示のように、この規制部２０は、図４の（ｄ）に示されるような例えば樹脂製の環状部材として或いは図４の（ｅ）に示されるような外周の一部に切り欠きを有する略Ｃ字形状のリングとして形成されており、例えば保持部材３Ａの長手方向の所定の位置に固定される。このような規制部２０を設けて移動釣針４を規制部２０よりも後方（疑似餌本体２から離れる方向）に位置させれば、移動釣針４が疑似餌本体２側に大きく移動することを規制でき、したがって、移動釣針４が疑似餌本体２に近づき過ぎること（例えば、移動釣針４が疑似餌本体２の腹側（下面側）に回り込むことを含む）による針掛かり性能の低下を未然に防止できる。この場合、移動釣針４が係止される係止リング５の内径よりも規制部２０の外径を大きく設定して、規制部２０よりも前方側に移動釣針４が移動できないようにしておくことも考えられるが、本実施形態では、係止リング５の内径を規制部２０の外径以上に設定して、疑似餌本体２側への移動釣針４の移動を許容しつつ規制部２０がその移動の障害となるようにしている。この場合、図８の（ａ）に示されるように規制部２０を複数（図では、２つ）設けると、規制効果を高めることができ有益である。また、このような規制部２０を設けると、疑似餌本体２側への移動釣針４の移動が規制されるため、図８の（ｂ）に示されるように移動釣針４と固定釣針７とが絡み合うことも防止できる。更に、このような移動障害物としての規制部２０を設けると、移動釣針４が（例えば、針掛かりした魚が大きく暴れるなどして）大きな負荷を受けて疑似餌本体２側に激しく衝突することを規制部２０によって防止することもできる。すなわち、規制部２０は、移動釣針４が規制部２０を乗り越えて疑似餌本体２側へ移動する場合であっても、移動釣針４の移動の障害となることにより、移動釣針４が疑似餌本体２に衝突する際の衝撃を低減して、衝撃に伴う魚の（身切れなどによる）針外れを防止できる。
【００３１】
図４の（ｂ）は規制部の第１の変形例を示している。図示のように、この変形例に係る規制部２２は、例えば保持部材３Ａと一体に形成されており、保持部材３Ａの長手方向の所定の位置で保持部材３Ａの外径を局所的に大きくすることにより構成される。本実施形態において、規制部２２は断面が円形に形成される。また、図４の（ｃ）は規制部の第２の変形例を示している。図示のように、この変形例に係る規制部２４も例えば保持部材３Ａと一体に形成されており、保持部材３Ａの長手方向の所定の位置で保持部材３Ａを逆Ｖ字形に屈曲させることにより構成される。いずれの規制部２２，２４においても、前述した規制部２０と同様の作用効果を得ることができる。なお、規制部２２，２４の内径と係止リング５の外径との間の関係は、前述した規制部２０における場合と同様である。
【００３２】
また、このような規制部は、疑似餌本体２側へ向かう移動釣針４の移動を規制するだけでなく、疑似餌本体２から離れる移動釣針４の移動を促すようになっていることが更に好ましい。そのような規制部の第３の変形例が図５に示されている。図示のように、本変形例に係る規制部２６は、例えば保持部材３Ａと別体に形成されて保持部材３Ａに取り付けられ或いは保持部材３Ａと一体に形成されており、疑似餌本体２側に向かって先細る先端側傾斜面３０と、疑似餌本体２側への釣針の移動を規制する後端側規制面３２とを有する。先端側傾斜面３０は、保持部材３Ａの長手方向軸に対して所定の角度を成しており、保持部材３Ａの外周面との間に所定の高さの段差を有する。一方、後端側規制面３２は、保持部材３Ａの長手方向軸に対して略垂直な面として形成されている。
【００３３】
このような形態の規制部２６によれば、釣用疑似餌１を水中で引くリーリング動作により、疑似餌本体２側に移動した移動釣針４を先端側傾斜面３０の案内によって容易に後方へ移動させることができる一方、規制部２６よりも後方に移動した移動釣針４が疑似餌本体２側へ移動しようとする動きを後端側規制面３２によって規制することができ、規制部２０，２２，２４による規制効果を更に促進することができる。なお、規制部２６の内径と係止リング５の外径との間の関係は、前述した規制部２０における場合と同様である。
【００３４】
図６には、疑似餌本体２から離れる移動釣針４の移動を促すようになっている規制部の第４の変形例が示されている。図示のように、本変形例に係る規制部２８は、例えば保持部材３Ａと一体に形成されており、疑似餌本体２側に向かって先細る先端側傾斜面３４と、疑似餌本体２側への釣針の移動を規制する後端側規制面３６とを有する。先端側傾斜面３４は、保持部材３Ａの長手方向軸に対して所定の角度を成しており、保持部材３Ａの外周面に滑らかに繋がっている。一方、後端側規制面３２は、保持部材３Ａの長手方向軸に対して略垂直な面として形成されている。このような規制部２８によっても前述した規制部２６と同様の作用効果が得られる。
【００３５】
図７には、疑似餌本体２から離れる移動釣針４の移動を促すようになっている規制部の第５の変形例が示されている。図示のように、本変形例に係る規制部２９は、保持部材３Ａをその長手方向の所定の位置で折り曲げて構成されており、疑似餌本体２側に向かって先細る先端側傾斜面３８と、疑似餌本体２側への釣針の移動を規制する後端側規制面４０とを有する。先端側傾斜面３８は、保持部材３Ａの長手方向軸に対して所定の角度を成しており、一方、後端側規制面４０は、保持部材３Ａの長手方向軸に対して略垂直な面として形成されている。このような規制部２９によっても前述した規制部２６と同様の作用効果が得られる。
【符号の説明】
【００３６】
１  釣用疑似餌
２  疑似餌本体
３，３Ａ，３Ｂ  保持部材
４  釣針
２０，２０Ａ，２２，２４，２６，２８，２９  規制部
３０，３４，３８  先端側傾斜面
３２，３６，４０  後端側規制面
【図１】
2012010643.tif 000003
【図２】
2012010643.tif 000004
【図３】
2012010643.tif 000005
【図４】
2012010643.tif 000006
【図５】
2012010643.tif 000007
【図６】
2012010643.tif 000008
【図７】
2012010643.tif 000009
【図８】
2012010643.tif 000010